(57)【要約】      （修正有）【課題】コールドパーマ時に使用し、頭髪の所望する箇所にボリュームを容易に持たせることができるパーマ用のサポート器具を提供する。【解決手段】筒体を長手方向に切断した半円弧状の本体部２と、一方の側面を開口し他方の側面には側面部３を設け、該側面部３から外方に延在する把手部４と、さらに該把手部４から前記筒体の内方に沿って形成されたロッド留め部５を設える。【選択図】図１
0003156894.tif 000002
【実用新案登録請求の範囲】
【請求項１】
コールドパーマ用のサポート器具（１）であって、筒体を長手方向に切断した半円弧状の本体部（２）と、一方の側面を開口し他方の側面には側面部（３）を設け、該側面部（３）から外方に延在する把手部（４）と、さらに該把手部（４）から前記本体部（２）の内方沿って形成されたロッド留め部（５）を備えていることを特徴とするパーマ用サポート器具。
【請求項２】
前記半円弧状の本体部(２)は、使用されるパーマ用ロッド（６）よりも長手方向の長さが短いことを特徴とする請求項１記載のパーマ用サポート器具。
【請求項３】
前記ロッド留め部（５）は、使用されるパーマ用ロッド(６)および本体部（２）よりも長手方向の長さが短いことを特徴とする請求項１記載のパーマ用サポート器具。
【請求項４】
前記サポート器具（１）は合成樹脂製により構成されていることを特徴とする請求項１記載のパーマ用サポート器具。
【考案の詳細な説明】
【技術分野】
【０００１】
本考案はコールドパーマ時に使用し、特に頭頂部の毛髪のボリュームをより大きくするためのパーマ用サポート器具に関する。
【背景技術】
【０００２】
従来、コールドパーマを施術する場合には、頭髪を毛束にしてパーマ用のロッドに巻きつけ薬液をかけてウエーブを作り出していた。このようにしてパーマで作り出されるウエーブは、頭髪にボリュームをもたらす効果がある。
【０００３】
しかし年齢とともに頭髪が少なく薄くなってきた場合には、このようなコールドパーマを使用しても頭髪の特に頭頂部に所望するボリュームを出すことが難しくなり、従って理想的なボリューム豊かな髪型を作ることができないという問題があった。
【０００４】
この問題を解決するために、従来ではボリュームが豊かになるように、頭髪のボリュームダウンを防止するパーマ用薬液(特許文献１)を使用したり薬液が頭髪全体に十分に浸漬できるように複数個所にパーマ液の吐出口を穿設したパーマ用ロッド(特許文献２)を使用したりする工夫があった。
【０００５】
【特許文献１】特願２００７−１１４０９４
【特許文献２】登録実用新案第３０３３２３２号
【考案の概要】
【考案が解決しようとする課題】
【０００６】
しかしこれら上記するパーマ用薬液やロッドを使用した場合には、パーマ液の分配調整が困難であって、時として必要な箇所以外の頭髪にもボリュームが出てしまうという問題があった。
【０００７】
本考案では上記に鑑み、例えば頭頂部などの必要な箇所にのみ所望のボリュームを容易に持たせることができるコールドパーマ用のサポート器具を提供することを目的とする。
【課題を解決するための手段】
【０００８】
上記の目的を達成するために、本考案のサポート器具は筒体を長手方向に切断した半円弧状の本体部と、一方の側面を開口し他方の側面には側面部を設け、該側面部から外方に延在する把手部と、さらに該把手部から前記筒体の内方に沿って形成されたロッド留め部を設けてなるものである。
【０００９】
前記サポート器具は、使用されるパーマ用ロッドよりも長手方向の長さが短いものが好ましい。
【００１０】
前記ロッド留め部は棹状であって、使用されるパーマ用ロッドに差し込んだ場合に外れにくい長さを有し、且つ前記パーマ用ロッドおよび前記本体部よりも長手方向の長さが短いものが好ましい。またその断面形状は矩形、円形、円弧状等任意の形状を採ることができる。
【００１１】
前記把手部は、使用されるパーマ用ロッドに前記ロッド留め部を差し込む場合に把持しやすい大きさと形状であればよく、例えば矩形や楕円等平坦面を有する板状形状、または波板型形状、あるいはＬ字型などの鉤型形状などにしてもよい。
【００１２】
前記サポート器具の材質は、前記パーマ用ロッドと同様あるいは類似の材質のものが望ましく、パーマ用薬液が接触した場合に該薬液により劣化しにくい材質、例えば合成樹脂製などが好ましい。
【考案の効果】
【００１３】
本考案は以上のように構成したので、特別なパーマ薬液やパーマ用ロッドを使用することなく、通常のパーマ用ロッドを使用して、頭髪のボリュームを出したい箇所にのみ容易に豊かなウエーブを作り出すことができる。
【図面の簡単な説明】
【００１４】
【図１】本考案のサポート器具を示す全体図である。
【図２】本考案のサポート器具を示す全体図である。
【図３】本考案のサポート器具をパーマ用ロッドに挟んだ状態を示す説明図である。
【図４ａ】本考案のサポート器具を使用した施術状況の工程を示す説明図である。
【図４ｂ】本考案のサポート器具を使用した施術状況の工程を示す説明図である。
【図４ｃ】本考案のサポート器具を使用した施術状況の工程を示す説明図である。
【考案を実施するための最良の形態】
【００１５】
この考案の１実施例を図１〜４により説明する。
図１および図２は本考案のパーマ用サポート器具１の全体を示す。サポート器具１の本体部２の側面部３の外方に延在する把手部４は施術者がサポート器具１をパーマ用ロッド６の貫通孔７に差し込んで固定する際に手指で把持するためのものである。図３に示すように、サポート器具１はロッド留め部５をパーマ用ロッド６の一端の貫通孔７に差込み、挟み込むようにして固定する。また、本体部２をロッド６に差込み易くするために、本体部２と把手部４の間に段差を設けている。
【００１６】
図４はサポート器具１を使用してパーマを施術する工程を示す。図４aは頭頂部９よりパーマを施術する頭髪(毛束)８を取ってペーパー(吸液紙)(図示せず)で挟んだ後にパーマ用ロッド６に巻きつけた状態を示す。図４bは、頭髪８の毛束をさらにパーマ用ロッド６に巻きつけた状態を示す。図４cは、パーマ用ロッド６を巻き収める前に側面からサポート器具１をロッド留め部５を介して差し込み、そのまま最後まで巻き収めて輪ゴム等(図示せず)で固定した状態を示す。
【００１７】
図３に示すサポート器具１の高さｈの大きさを変えることによって、該サポート器具の挿入箇所におけるパーマのボリュームを変えることができる。即ち、高さｈを大きくすれはボリュームを大きくすることができるので、状況に応じて必要とする頭髪のボリュームをサポート器具１の高さにより選択することができる。また、本考案のサポート器具は、頭頂部に限らず、頭髪のボリュームが必要な箇所に使用することができる。
【００１８】
また、本考案のサポート器具は、径の大きなパーマ用ロッドを使用してボリュームを出す場合と比べて、サポート器具をロッドの巻き収めの箇所である頭髪の根元近くに使用することができるので、根元が強く立ち上がりより容易にボリュームを出すことができる。
【符号の説明】
【００１９】
１・・・サポート器具
２・・・本体部
３・・・側面部
４・・・把手部
５・・・ロッド留め部
６・・・ロッド
７・・・貫通孔
８・・・頭髪
９・・・頭頂部
【図１】
0003156894.tif 000003
【図２】
0003156894.tif 000004
【図３】
0003156894.tif 000005
【図４ａ】
0003156894.tif 000006
【図４ｂ】
0003156894.tif 000007
【図４ｃ】
0003156894.tif 000008